【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
実質的に円弧の形状をしたタッチパッドコントロールを備えたことを特徴とするユーザインターフェースコントロール。
【請求項２】
前記円弧が実質的に均一な幅であることを特徴とする請求項１に記載のユーザインターフェースコントロール。
【請求項３】
前記タッチパッドコントロールが実質的に四分円の形状であることを特徴とする請求項２記載のユーザインターフェースコントロール。
【請求項４】
前記円弧が、（Ａ）円弧の中央部が円弧の少なくとも一端部より細い円弧および（Ｂ）円弧の中央部が円弧の少なくとも一端部より太い円弧の少なくとも一方であり、かつ該円弧が（Ｃ）湾曲した端部および（Ｄ）実質的にまっすぐな端部の少なくとも一方を有することを特徴とする請求項１記載のユーザインターフェースコントロール。
【請求項５】
前記タッチパッドコントロールが、第１の機能に関する第１のタッチパッド入力用の第１の領域と、前記第１の機能と異なる第２の機能に関する第２のタッチパッド入力用の第２の領域とを有し、前記第１の領域と前記第２の領域が前記円弧の実質的に中央で分割されていることを特徴とする請求項１記載のユーザインターフェースコントロール。
【請求項６】
前記タッチパッドコントロールが第１の機能のセットを提供する第１の制御領域と、前記第１の機能のセットと異なる第２の機能のセットを提供する第２の制御領域とに分割され、前記第１の制御領域と前記第２の制御領域が前記円弧の実質的に直交中心線で分割されていることを特徴とする請求項１記載のユーザインターフェースコントロール。
【請求項７】
前記第１の機能のセットが前記第２の機能のセットと反対の機能のセットを提供することを特徴とする請求項６記載のユーザインターフェースコントロール。
【請求項８】
前記第１の機能のセットおよび前記第２の機能のセットの少なくとも一方が、エスケープ、スタート、オプション、モア、レスＯＫ、バック、フォワード、プレー、ポーズ、アップ、ダウン、ファストフォワード、リバース、スキップフォワード、スキップリバース、メニュー、左、右、ミュート、ボリュームアップ、ボリュームダウン、照明上げ、照明下げの機能の少なくとも１の機能について様々に程度が変化する機能を含むことを特徴とする請求項６記載のユーザインターフェースコントロール。
【請求項９】
前記第１の機能のセットおよび前記第２の機能のセットの少なくとも一方の機能の程度が、タッチパッド円弧の中心線から前記第１の制御領域内における入力までの距離に基づいて判断されることを特徴とする請求項６記載のユーザインターフェースコントロール。
【請求項１０】
前記第１の機能のセットおよび前記第２の機能のセットの少なくとも一方の機能の程度が、ユーザインターフェースコントロールの最近の相互作用履歴から計算されたユーザインターフェースコントロールへの入力に関連づけられた（Ａ）速度および（Ｂ）加速度の少なくとも一方に基づいて判断されることを特徴とする請求項６記載のユーザインターフェースコントロール。
【請求項１１】
前記円弧が、実質的にユーザインターフェースコントロールを含む装置の表面の湾曲空洞の形よりなることを特徴とする請求項１記載のユーザインターフェースコントロール。
【請求項１２】
請求項１記載のユーザインターフェースコントロールを含むことを特徴とするポータブルメディアプレーヤ。
【請求項１３】
装置の表面に実装されたユーザインターフェースコントロールであって、
実質的に該表面の湾曲空洞の形状のタッチパッドコントロールを備えたことを特徴とするユーザインターフェースコントロール。
【請求項１４】
前記湾曲空洞が実質的に均一な幅の空洞であることを特徴とする請求項１３記載のユーザインターフェースコントロール。
【請求項１５】
前記湾曲空洞が実質的に四分円の形状であることを特徴とする請求項１４記載のユーザインターフェースコントロール。
【請求項１６】
前記湾曲空洞が（Ａ）湾曲空洞の中央部が湾曲空洞の少なくとも一端部より細い湾曲空洞および（Ｂ）湾曲空洞の中央部が湾曲空洞の少なくとも一端部より太い湾曲空洞の少なくとも一方であり、かつ前記湾曲空洞が（Ｃ）湾曲した端部および（Ｄ）実質的にまっすぐな端部の少なくとも一方であることを特徴とする請求項１３記載のユーザインターフェースコントロール。
【請求項１７】
第１の機能に関する第１のタッチパッド入力用の第１の領域と、前記第１の機能と異なる第２の機能に関する第２のタッチパッド入力用の第２の領域とを有し、前記第１の領域と前記第２の領域が前記湾曲空洞の実質的に中央で分割されていることを特徴とする請求項１３記載のユーザインターフェースコントロール。
【請求項１８】
前記タッチパッドコントロールが第１の機能のセットを提供する第１の制御領域と、前記第１の機能のセットと異なる第２の機能のセットを提供する第２の制御領域とに分割され、前記第１の制御領域と前記第２の制御領域が前記湾曲空洞の実質的に直交中心平面で分割されていることを特徴とする請求項１３記載のユーザインターフェースコントロール。
【請求項１９】
前記第１の機能のセットが前記第２の機能のセットと反対の機能のセットを提供することを特徴とする請求項１８記載のユーザインターフェースコントロール。
【請求項２０】
前記第１の機能のセットおよび前記第２の機能のセットの少なくとも一方が、エスケープ、スタート、オプション、モア、レスＯＫ、バック、フォワード、プレー、ポーズ、アップ、ダウン、ファストフォワード、リバース、スキップフォワード、スキップリバース、メニュー、左、右、ミュート、ボリュームアップ、ボリュームダウン、照明上げ、照明下げの機能の少なくとも１の機能について様々に程度が変化する機能を含むことを特徴とする請求項１８記載のユーザインターフェースコントロール。
【請求項２１】
前記第１の機能のセットおよび前記第２の機能のセットの少なくとも一方の機能の程度が、タッチパッドの湾曲空洞の中心線から前記第１の制御領域内における入力までの距離に基づいて判断されることを特徴とする請求項１８記載のユーザインターフェースコントロール。
【請求項２２】
前記第１の機能のセットおよび前記第２の機能のセットの少なくとも一方の機能の程度が、ユーザインターフェースコントロールの最近の相互作用履歴から計算されたユーザインターフェースコントロールへの入力に関連づけられた（Ａ）速度および（Ｂ）加速度の少なくとも一方に基づいて判断されることを特徴とする請求項１８記載のユーザインターフェースコントロール。
【請求項２３】
請求項１３記載のユーザインターフェースコントロールを含むことを特徴とするポータブルメディアプレーヤ。
【請求項２４】
実質的に円弧または湾曲空洞の形状のタッチパッドコントロールを含むユーザインターフェースコントロールと相互作用するための方法であって、
前記タッチパッドコントロールに入力を受けるステップと、
前記タッチパッドコントロール上の位置および該位置と関連づけられ機能の対応する程度を判断するステップと、
前記位置および前記位置と関連づけられた機能の程度に基づいて少なくとも１つの機能呼出および少なくとも１つの信号の少なくとも一方を出力するステップとを含むことを特徴とする方法。
【請求項２５】
前記少なくとも１つの機能呼出および前記少なくとも１つの信号の少なくとも一方に応じて適切な程度に前記機能を実行するステップをさらに含むことを特徴とする請求項２４記載の方法。
【請求項２６】
前記判断するステップが、前記タッチパッドコントロールの中心線から前記入力までの距離を判断するステップを含むことを特徴とする請求項２４記載の方法。
【請求項２７】
前記判断するステップが、ユーザインターフェースコントロールの最近の相互作用履歴と関連するデータに基づく入力と関連づけられた（Ａ）速度および（Ｂ）加速度の少なくとも一方を判断するステップを含むことを特徴とする請求項２４記載の方法。
【請求項２８】
前記判断するステップが、入力が第１の機能に関する第１のタッチパッド入力用の第１の領域にあるか、該第１の機能と異なる第２の機能に関する第２のタッチパッド入力用の第２の領域にあるかを判断するステップを含み、該第１の領域と該第２の領域が前記タッチパッドコントロールの実質的に中心で分割されていることを特徴とする請求項２４記載の方法。
【請求項２９】
前記タッチパッドコントロールが第１の機能のセットを提供する第１の制御領域と、前記第１の機能のセットと異なる第２の機能のセットを提供する第２の制御領域とに分割され、前記第１の制御領域と前記第２の制御領域が前記タッチパッドコントロールの実質的に中心で分割され、かつ前記判断するステップが、入力が第１の機能のセットと関連づけられているか、あるいは第２の機能のセットと関連づけられているかを判断するステップを含むことを特徴とする請求項２４記載の方法。
【請求項３０】
前記第１の機能のセットが前記第２の機能のセットと反対の機能のセットを提供することを特徴とする請求項２９記載の方法。
【請求項３１】
前記第１の機能のセットおよび前記第２の機能のセットの少なくとも一方が、エスケープ、スタート、オプション、モア、レスＯＫ、バック、フォワード、プレー、ポーズ、アップ、ダウン、ファストフォワード、リバース、スキップフォワード、スキップリバース、メニュー、左、右、ミュート、ボリュームアップ、ボリュームダウン、照明上げ、照明下げの機能の少なくとも１の機能について様々に程度が変化する機能を含むことを特徴とする請求項２９記載の方法。
【請求項３２】
請求項２４記載の方法を実行するためのコンピュータ実行可能命令を記録したことを特徴とするコンピュータ可読媒体。
【請求項３３】
請求項１記載の方法を実行するための手段を含むことを特徴とするコンピュータ・デバイス。
【請求項３４】
タッチパッドに制御支援を提供するためのコンピュータ実行可能命令を有するコンピュータ実行可能モジュールを含むコンピュータ可読媒体であって、該コンピュータ実行可能モジュールが、
タッチパッドのタッチパッド入力を受けた位置を、前記タッチパッドを実質的に前記タッチパッドの直交中心線で第１の領域と第２の領域とに分割することによって、検出するための検出コンポーネントと、
入力が第１の領域で受けられた場合に、出力コンポーネントによって第１の機能の結果のセットの中の機能の結果を出力し、また入力が第２の領域で受けられた場合に、出力コンポーネントによって第２の機能の結果のセットの中の機能の結果を出力する出力コンポーネントによって、機能の結果を出力するための出力コンポーネントと
を含むことを特徴とするコンピュータ可読媒体。
【請求項３５】
前記タッチパッドが、（Ａ）実質的に円弧形状および（Ｂ）表面中の実質的に湾曲空洞の形の少なくとも一方よりなることを特徴とする請求項３４記載のコンピュータ可読媒体。
【請求項３６】
タッチパッドに制御支援を提供するためのコンピュータ・デバイスの処理サブユニットであって、
タッチパッドのタッチパッド入力を受けた位置を、前記タッチパッドを実質的に前記タッチパッドの直交中心線で第１の領域と第２の領域とに分割することによって、検出するための検出コンポーネントと、
入力が第１の領域で受けられた場合に、出力コンポーネントによって第１の機能の結果のセットの中の機能の結果を出力し、また入力が第２の領域で受けられた場合に、出力コンポーネントによって第２の機能の結果のセットの中の機能の結果を出力する出力コンポーネントによって、機能の結果を出力するための出力コンポーネントと
を含むことを特徴とする処理サブユニット。
【請求項３７】
前記タッチパッドが、（Ａ）実質的に円弧形状および（Ｂ）表面中の実質的に湾曲空洞の形の少なくとも一方よりなることを特徴とする請求項３６記載の処理サブユニット。
【請求項３８】
実質的に円弧形状または湾曲空洞の形のタッチパッドコントロールを含むユーザインターフェースコントロールを有するコンピュータ・デバイスであって、
前記タッチパッドコントロールへの入力を検出するための手段と、
前記タッチパッドコントロール上の位置および該位置と関連づけられた機能の対応する程度を判断するための手段と、
前記位置および前記位置と関連づけられた機能の程度に基づいて少なくとも１つの機能呼出および少なくとも１つの信号の少なくとも一方を出力するための手段とを含むことを特徴とするコンピュータ・デバイス。
【請求項３９】
前記少なくとも１つの機能呼出および前記少なくとも１つの信号の少なくとも一方に応じて適切な程度に機能する手段をさらに含むことを特徴とする請求項３８記載のコンピュータ・デバイス。
【請求項４０】
前記判断するための手段が、タッチパッドコントロールの中心線から入力までの距離を計算することを含むことを特徴とする請求項３８記載のコンピュータ・デバイス。
【請求項４１】
前記判断するための手段が、ユーザインターフェースコントロールの最近の相互作用履歴と関連するデータに基づく入力と関連づけられた（Ａ）速度および（Ｂ）加速度の少なくとも一方を判断するための手段を含むことを特徴とする請求項３８記載のコンピュータ・デバイス。
【請求項４２】
前記タッチパッドコントロールが第１の機能のセットを提供する第１の制御領域と、前記第１の機能のセットと異なる第２の機能のセットを提供する第２の制御領域とに分割され、前記第１の制御領域と前記第２の制御領域が前記タッチパッドコントロールの実質的に中心で分割され、かつ前記判断するための手段が、入力が第１の機能のセットと関連づけられているか、あるいは第２の機能のセットと関連づけられているかを判断するための手段を含むことを特徴とする請求項３８記載のコンピュータ・デバイス。
【請求項４３】
請求項１記載のユーザインターフェースコントロールを含むことを特徴とするコンピュータ・デバイス用のリモートコントロール。
【請求項４４】
請求項１記載のユーザインターフェースコントロールを含むことを特徴とするコンピュータ・デバイス。
【請求項４５】
請求項１記載のユーザインターフェースコントロールを含むことを特徴とするコンピュータ・デバイスの交換可能なコンポーネント。
【請求項４６】
請求項１記載のユーザインターフェースコントロールを含むことを特徴とするコンピュータ・デバイスを拡張するためのコンポーネント。
【請求項４７】
請求項１３記載のユーザインターフェースコントロールを含むことを特徴とするコンピュータ・デバイス用のリモートコントロール。
【請求項４８】
請求項１３記載のユーザインターフェースコントロールを含むことを特徴とするコンピュータ・デバイス。
【請求項４９】
請求項１３記載のユーザインターフェースコントロールを含むことを特徴とするコンピュータ・デバイスの交換可能なコンポーネント。
【請求項５０】
請求項１３記載のユーザインターフェースコントロールを含むことを特徴とするコンピュータ・デバイスを拡張するためのコンポーネント。